(57)【要約】【課題】デバイスキーが製造工程で記録されたかを、より確実に検査する機能を備えた再生装置を提供する。【解決手段】  制御部は、検査モードプログラムを実行して所定の操作を受け付けたときは、検査プログラムを実行させる。制御部４は、デバイスキー検査モードで、ＣＰＰＭ用デバイスキー、ＣＰＲＭ用デバイスキー、ＨＤＣＰ用デバイスキーがフラッシュメモリに記録されているか確認する。各々のデバイスキーについて、画面を３分割した背景を有する画像データを作成する。フラッシュメモリに記録されていない場合には背景６２０を赤で表示し、記録されている場合には、背景６１０、６３０を青で表示する。制御部は、この背景を、所定時間ごとに更新して表示し、デバイスキーがフラッシュメモリに記録されない限りは赤を表示し続け、デバイスキーが記録されると背景色を青に更新する。【選択図】図２
2008159164.tif 000002
【特許請求の範囲】
【請求項１】
著作権保護のためのデバイスキーを記録するフラッシュメモリと、
所定の操作入力を受けた場合に前記デバイスキーが記録されているか検査する検査モードに装置本体を設定する手段と、
前記検査モードに設定された場合に、デバイスキーが前記フラッシュメモリに記録されているかどうかを検査して、検査結果の画面を出力する検査結果出力手段と、を備えた再生装置において、
前記検査結果出力手段は、
複数のデバイスキーの有無を検査して、前記検査結果の画面をこのデバイスキーの数に分割して表示すると共に、前記分割した各々の領域について、前記デバイスキーがフラッシュメモリに記録されない限り所定の背景色を表示し続け、前記デバイスキーがフラッシュメモリに記録された場合に、前記背景色を変更する再生装置。
【請求項２】
著作権保護のためのデバイスキーを記録するフラッシュメモリと、
所定の操作入力を受けた場合に前記デバイスキーが記録されているか検査する検査モードに装置本体を設定する手段と、
前記検査モードに設定された場合に、デバイスキーが前記フラッシュメモリに記録されているかどうかを検査して、検査結果の画面を出力する検査結果出力手段と、を備えた再生装置において、
前記検査結果出力手段は、前記検査結果の画面の背景色をデバイスキーの有無により変化させて、前記検査結果を表示する再生装置。
【請求項３】
前記検査結果出力手段は、複数のデバイスキーの有無を検査して、前記検査結果の画面をデバイスキーの数に分割して表示すると共に、この分割した領域各々の背景色をデバイスキーの有無により変化させて表示する請求項２に記載の再生装置。
【請求項４】
前記検査結果出力手段は、前記デバイスキーがフラッシュメモリに記録されない限り、所定の背景色を表示し続け、前記デバイスキーがフラッシュメモリに記録された場合に、前記背景色を変更する請求項２〜３のいずれかに記載の再生装置。
【発明の詳細な説明】
【技術分野】
【０００１】
本発明は、デジタルコンテンツの再生装置、記録再生装置に、著作権保護のためのデバイスキーが製造工程で記録されたか検査する機能を備えた再生装置に関する。
【背景技術】
【０００２】
近年、ＤＶＤプレーヤやＤＶＤレコーダなどについて、著作権を保護する観点から、デバイスキーを用いて、コンテンツを暗号化することによりコピーによる２次的配布を防止することが行われている。このデバイスキーとしては、例えば、ＣＰＰＭ（Content Protection for Prerecorded Media）、ＣＰＲＭ（Content Protectionfor Recordable Media），ＨＤＣＰなどがあげられる。ＣＰＰＭ、ＣＰＲＭは、機器側が持っているデバイスキーとメディア側に記録されているＭＫＢを使用してメディアＩＤという固有の識別情報を用いて暗号化するものであり、コピーしたディスクには、このメディアＩＤが異なることから、解読できない仕組みになっている。ＨＤＣＰ（High-bandwidth Digital Content Protection system）は、ＤＶＩやＨＤＭＩなどのデジタルインターフェースのデジタル信号の送出時に暗号化して送出するものである。保護されたコンテンツ双方がＨＤＣＰに対応していないと映像が表示されないようにして、このデジタルインターフェースの送受信時に暗号化して保護するものである。
【０００３】
ところで、これらのデバイスキーは、機器メーカがライセンス供給会社から購入するものである。それぞれのデバイスキーは、機器によってすべて異なったＩＤのものをインストールすることが要求されている。ＤＶＤプレーヤ等の製造工程では、メイン基板を組み立てた後、このデバイスキーをメイン基板内のフラッシュメモリに記録し、その後、フラッシュメモリに記録したかどうか検査される。しかし、このようなメイン基板上での検査を行っても、メイン基板を装置に組み込んだ段階での最終検査工程で検査すると、デバイスキーインストールされていないことがあった。そこで、最終検査工程では、デバイスキーが記録されているか検査するため、再生装置をデバイスキーの検査モードにして、デバイスキーのシリアル番号を表示していた。
【０００４】
また、従来、デバイスキーを必要とする処理に何らかの不具合が生じたときに、デバイスキーを特定する機能を備えた光ディスク再生装置が開示されている（特許文献１）。また、デバイスキー情報が正常であるかどうかを容易に検出し、異常であれば、装置の動作に制限を与える再生装置が開示されている（特許文献２）。
【特許文献１】特開２００５−６３５０５公報
【特許文献２】特開２００３−２２６０９公報
【発明の開示】
【発明が解決しようとする課題】
【０００５】
しかしながら、以上のように検査していても、単にデバイスキーのシリアル番号を表示するだけでは、検査する作業者が、デバイスキーが記録されていないことを見落とす虞があった。デバイスキーが記録されていない機器がそのまま出荷されてしまうと、暗号化されたディスクを再生できないとして、ユーザにより返品される虞があった。
【０００６】
そこで、本発明は、このような従来の課題を解決しようとするものであり、デジタルコンテンツの再生装置、記録再生装置に著作権保護のためのデバイスキーが製造工程で記録されたかをより確実に検査する機能を備えた再生装置を提供することを目的とする。
【課題を解決するための手段】
【０００７】
本発明の放送受信装置は、前記課題を解決するために以下の構成を備えている。
【０００８】
（１）  著作権保護のためのデバイスキーを記録するフラッシュメモリと、
所定の操作入力を受けた場合に前記デバイスキーが記録されているか検査する検査モードに装置本体を設定する手段と、
前記検査モードに設定された場合に、デバイスキーが前記フラッシュメモリに記録されているかどうかを検査して、検査結果の画面を出力する検査結果出力手段と、を備えた再生装置において、
前記検査結果出力手段は、前記検査結果の画面の背景色をデバイスキーの有無により変化させて、前記検査結果を表示する。
【０００９】
この構成では、検査結果の画面の背景色をデバイスキーの記録の有無により変化させているので、検査している作業者は容易にこの有無を視認することができる。これにより、検査者はデバイスキーが記録されたことを明確に確認することができ、デバイスキーが記録されていない機器がそのまま出荷されてしまうような不具合を解消できる。
【００１０】
（２）  前記検査結果出力手段は、複数のデバイスキーの有無を検査して、前記検査結果の画面をデバイスキーの数に分割して表示すると共に、この分割した領域各々の背景色をデバイスキーの有無により変化させて表示する。
【００１１】
この構成では、複数のデバイスキーを同時かつ容易に視認できるので作業効率がよい。これにより、検査する作業者が、デバイスキーが記録されていないことを見落とす虞を解消できる。その結果、誤って出荷してしまってユーザにより返品される虞を解消できる。
【００１２】
（３）  前記検査結果出力手段は、前記デバイスキーがフラッシュメモリに記録されない限り、所定の背景色を表示し続け、前記デバイスキーがフラッシュメモリに記録された場合に、前記背景色を変更する。
【００１３】
この構成では、デバイスキーがフラッシュメモリに記録されない限り、（デバイスキーがない旨を表すための）所定の色を表示し続けるので、再度、デバイスキーがフラッシュメモリに記録する作業をした場合に、記録されていないにもかかわらず誤って記録されたと誤解する虞を解消できる。また、デバイスキーがフラッシュメモリに記録された場合に、背景色を変更するので、検査者は、デバイスキーが記録されたことを明確に確認することができる。したがって、デバイスキーが記録されていない機器がそのまま出荷されてしまうような不具合を解消できる。
【００１４】
なお、「前記デバイスキーがフラッシュメモリに記録された場合に、前記背景色を変更する。」としているが、これには、結果的に背景色を変更するものも含む。例えば、常時デバイスキーの有無を関して、画像を常時更新した結果、背景色を変更するものであってもよい。また、背景の模様は関係なく、全体の色が変化していればよい。
【発明の効果】
【００１５】
この発明の再生装置によれば、デバイスキーが製造工程で記録されたかをより確実に検査することができる。デバイスキーが記録されていない機器がそのまま出荷されてしまうような不具合を解消できる。
【発明を実施するための最良の形態】
【００１６】
図１は、この発明の実施形態であるＤＶＤレコーダ１の主要部の構成を示すブロック図である。この実施形態のＤＶＤレコーダ１は、ＤＶＤに対するタイトルの録画、およびＤＶＤに記録されているタイトルの再生を行う。なお、この実施形態のＤＶＤレコーダ１にマウント可能なＤＶＤ１００、ＤＶＤ−ＲＯＭ等である。
【００１７】
入力部１２には、アナログ形式の映像信号、音声信号が入力される。アンテナ（不図示）で受信されたアナログ形式のテレビ放送信号や、ＶＨＳテープのドライブから入力されたアナログ形式の映像信号、音声信号を入力する。
【００１８】
符号化部１３は、入力部１２で入力したアナログ形式の映像信号および音声信号をデジタル信号に変換して、これらをエンコードする。符号化部１３は、このエンコードしたデータを記録／読取部１４に出力する。
【００１９】
記録／読取部１４は、符号化部１３が生成したデータをＤＶＤ１００に記録する処理や、ＤＶＤ１００に記録されているタイトルの記録データを読み取る処理を行う。
【００２０】
記録／読取部１４１は、ＤＶＤ１００にレーザ光を照射し、その反射光を検出するピックアップヘッド（不図示）や、ＤＶＤ１００に照射しているレーザ光の照射位置を制御するフォーカスサーボ制御やトラッキングサーボ制御等を行うサーボ制御部（不図示）等を有している。データの記録時には、記録／読取部１４は、ＤＶＤ１００に照射するレーザ光を、ＤＶＤ１００に記録する記録データに基づいて変調する記録制御を行う。また、ＤＶＤ１００に記録されているデータを読み取って増幅したＲＦ信号をデコーダ１５に入力する。また、記録／読取部１４１は、記録／読取部１４が読み取ったＲＦ信号から、映像データ、および音声データを抽出する。
【００２１】
デコーダ１５は記録／読取部１４で読み取ったデータをデコードし、デコードした映像データ、および音声データをＤ／Ａ変換して、ＯＳＤ合成部１６に入力する。
【００２２】
ＯＳＤ合成部１６（オンスクリーンディスプレイ）は、単独で、または本体の設定情報等各種の情報を表示する映像信号を生成する。またデコーダ１５から映像信号が出力されている場合には、この映像信号と合成する。この実施形態では、特に、後述の検査プログラム５０の実行時に、デバイスキー６０の検査状況に応じて、所定の画面表示を行う（詳細は図２で後述する）。
【００２３】
出力部１７は、読取信号処理部１５で処理された記録データをＤ／Ａ変換して、再生信号を出力する。出力部１７には、映像を表示する表示装置１１や、音声を放出するスピーカ１２が接続されている。出力部１７は、読取信号処理部１５から入力された映像データに基づく映像信号、音声信号を同期させて出力する。
【００２４】
操作部３は、装置本体に対する入力操作を受け付ける。例えば操作部３は、録画（即ち、映像信号のＤＶＤ１００への記録）の指示や、録画の予約の指示入力を受け付ける。
【００２５】
制御部４は、ＣＰＵ、制御データ格納用のＲＯＭ５、ＲＡＭ６を備え、操作部３で受け付けた操作入力を判断し、以上で示した各部の動作を制御して、この操作入力に対する所定の処理を行う。ＲＯＭ５には、検査プログラム５１が記録されている。また、フラッシュメモリ６には、デバイスキー６０が記録されている。所定の操作入力を受けて、制御部４は、検査プログラム５０を実行して種々の検査を行う。例えば、デバイスキー検査モード５５では、デバイスキー６０がフラッシュメモリ６に記録されているか判断する。
【００２６】
デバイスキー６０は、著作権保護のためデジタルコンテンツのコピーを防止する暗号キーに用いるものであり、機器メーカがライセンス供給会社から購入するものである。フラッシュメモリ６には、デバイスキー６０として、ＣＰＰＭ用デバイスキー６１、ＣＰＲＭ用デバイスキー６２、ＣＰＰＭ、ＨＤＣＰ用デバイスキー６３が記録されている。ＣＰＰＭでは、ディスクごとに異なるＭＫＢ(Media Key Block)および装置側のデバイスキーから生成される「メディア鍵」と、アルバム単位で異なる「アルバムＩＤ」と、ＣＣＩ(Copy Control Information)を用いてコンテンツの暗号化が行われている。ＤＶＤ１００には、ＭＫＢとアルバムＩＤがリードイン領域に記録されており、これを他のＤＶＤ１００にコピーすることができない。ＣＰＲＭは、記録可能なＤＶＤ１００について使用する点が異なるが、ＣＰＰＭと同様である。
【００２７】
ＨＤＣＰ（High-bandwidth Digital Content Protection system）は、ＤＶＩやＨＤＭＩなどのデジタルインターフェースの送出時に暗号化に用いられ、保護されたコンテンツ双方がＨＤＣＰに対応していないと映像が表示されないようにしてこのデジタルインターフェースの送受信時に暗号化して保護するものである。
【００２８】
ＤＶＤレコーダ１には、表示装置１０１とスピーカ１２を接続する。表示装置１０１は、出力部１７から出力された再生映像信号に基づく映像を表示する。スピーカ１０２は、出力部１７から出力された音声信号を音声に変換して放出する。
【００２９】
次に図２を用いて、デバイスキー検査モード５５における画面表示例について説明する。図２（Ａ）の表示装置１０１の表示１０１Ａは、ＣＰＰＭ用デバイスキー６１の検査画面であり、ＣＰＰＭ用デバイスキー６１が記録されている場合を示している。この場合背景６１０Ａ全体を青にする。（Ｂ）は同じくＣＰＰＭ用デバイスキー６１の検査画面であり、ＣＰＰＭ用デバイスキー６１が記録されている場合を示している。この場合背景６１０Ｂを赤にする。
【００３０】
図２（Ｃ）、（Ｄ）は、キー６１〜６３を同時に検査する場合を示している。図２（Ｃ）では、表示装置１０１の画面１０１Ｃを３つの背景６１１、６２１、６３１で表示１０１Ａを仕切り、それぞれ、ＣＰＰＭ、ＣＰＲＭ、ＨＤＣＰと表記している。図２（Ｃ）の例では、ＣＰＰＭ用デバイスキー６１、ＨＤＣＰ用デバイスキー６３が記録されており、ＣＰＲＭ用デバイスキー６２がフラッシュメモリ６に記録されていない場合を示している。デバイスキー６０のうち、記録されているものは検査が合格となるから、６１０、６３０に示すように背景６１０を青にする。記録されていないものについては検査が不合格となるから、フラッシュメモリ６にデバイスキー６０が記録されるまで背景６２０を赤にする。これにより、デバイスキー６０がフラッシュメモリ６に記録されているか否か、いずれが記録されていないかを容易に確認することができる。背景６１０、６２０、６３０を並べて表示しているので、いずれが記録されていないかを同時に確認できる。
【００３１】
また、図２（Ｄ）の例では、これに加えて、デバイスキー６０のうちフラッシュメモリ６に記録されているものについては、デバイスキー６０のコード番号を表記する。
【００３２】
次に、図３のフロー図を用いて、ＤＶＤレコーダ１のデバイスキー検査モードの処理について説明する。この処理は、図２（Ａ）、（Ｂ）の画面表示に対応しており、１つのキーのみについて検査する場合を示している。
【００３３】
ＳＴ１で、制御部４は、操作入力を受けた場合に、検査プログラム５１を実行するための所定の操作入力があるか判断し、この操作入力がない限り（ＳＴ１のＮＯ）、このフローは待機状態となる。この操作入力があった場合には（ＳＴ１のＹＥＳ）、ＳＴ２に移動して、検査プログラム５１を実行する。ＳＴ２で、制御部４は、検査プログラム５１の実行時に操作入力の待機状態となり、デバイスキー検査モード５５の選択があったかどうか判断し、この操作入力がない限り（ＳＴ２のＮＯ）、このフローは待機状態となる。デバイスキー検査モード５５の選択があった場合には、ＳＴ３に移動する。
なお、ＳＴ２で、画面から所定の検査工程の選択を受け付ける表示を出力してもよいし、ＳＴ２を省略して、直ちにデバイスキー検査モード５５に入ってもよい。
【００３４】
ＳＴ３は、画面表示１０１Ａ、Ｂの背景を処理するものであり、ＳＴ３１〜ＳＴ３４の処理を行う。ＳＴ３１で、ＤＶＤレコーダ１がＣＰＰＭ対応の機種であるか判断する。ＤＶＤレコーダ１がＣＰＰＭ対応の機種でなければ（ＳＴ３１のＮＯ）、デバイスキー検査モード５５の検査はそもそも問題がなく合格であるから、ＳＴ３４に移動して背景を図２に示す６１０Ａのように青にする。ＤＶＤレコーダ１がＣＰＰＭ対応の機種であれば（ＳＴ３１のＹＥＳ）、ＣＰＰＭ用デバイスキー６１がフラッシュメモリ６に記録されているか判断する。ＣＰＰＭ用デバイスキー６１がフラッシュメモリ６に記録されていれば（ＳＴ３２のＹＥＳ）、デバイスキー検査モード５５の検査は合格であるから、ＳＴ３４に移動して表示装置１０１の画面の背景を図２に示す６１０Ａのように青にする。ＣＰＰＭ用デバイスキー６１がフラッシュメモリ６に記録されていなければ（ＳＴ３２のＮＯ）、デバイスキー検査モード５５の検査は不合格となる。そこで、ＳＴ３３で、図２（Ｂ）に示す６１０Ｂのように、表示装置１０１の画面の背景を図２に示す６１０Ｂのように赤にする。
【００３５】
以上では、ＣＰＰＭ用デバイスキー６１を検査する例を示したが、このキーに限らず他のキーを検査してもよいし、複数のキーを順次検査してもよい。
【００３６】
次に、図４、図５のフロー図を用いて、ＤＶＤレコーダ１のデバイスキー検査モードの処理について説明する。図４は、この処理の全体のフロー図であり、図５はそのうちのＳＴ４、ＳＴ５の処理の詳細図である。なお、この処理は、図２（Ｃ）、（Ｄ）の画面表示に対応しており、３つのキー６１〜６３それぞれについて同時に検査する場合を示している。ＳＴ１、ＳＴ２は、図３と同じであり、ＳＴ３１、ＳＴ３２は、同じ判断をするので、以上の説明を準用する。
【００３７】
ＳＴ３〜ＳＴ５では、各デバイスキー６０がフラッシュメモリ６に記録されているかどうか判断し、フラグを設定する。このように予めフラグを設定するは、同時に背景を設定できるよう、予め各デバイスキー６０の有無を検査するためである。
【００３８】
ＳＴ３’のＳＴ３３’は、ＳＴ３２のＮＯの場合に分岐する。ＳＴ３３’では、ＣＰＰＭ用デバイスキー６１のフラグをオンにしたデータを制御部４内の図示しないメモリ（代わりにフラッシュメモリ６でもよい。以下同じ。）に記憶させる。
【００３９】
ＳＴ３のＳＴ３４’は、ＳＴ３１のＹＥＳ，ＳＴ３２のＹＥＳの場合に分岐する。ＳＴ３４’では、ＣＰＰＭ用デバイスキー６１のフラグをオフにしたデータを制御部４内の図示しないメモリに記憶させる。
【００４０】
図５内のＳＴ４、ＳＴ５は、ＳＴ３’と同様の動作を行う。ＳＴ４１、ＳＴ５１はＳＴ３１に対応しており、ＳＴ４２、ＳＴ５２はＳＴ３２に対応しているので、以上の説明を準用する。
ＳＴ４内のＳＴ４３は、ＳＴ４２のＮＯの場合に分岐する。ＳＴ４４では、ＣＰＲＭ用デバイスキー６２のフラグをオンにしたデータを制御部４内の図示しないメモリに記憶させる。
ＳＴ４内のＳＴ４４は、ＳＴ４１のＹＥＳ，ＳＴ４２のＹＥＳの場合に分岐する。ＳＴ４４では、ＣＰＲＭ用デバイスキー６２のフラグをオフにしたデータを制御部４内の図示しないメモリに記憶させる。
【００４１】
ＳＴ５内のＳＴ５３は、ＳＴ５２のＮＯの場合に分岐する。ＳＴ５３では、ＨＤＣＰ用デバイスキー６３のフラグをオンにしたデータを制御部５内の図示しないメモリに記憶させる。
ＳＴ５内のＳＴ５４は、ＳＴ５１のＹＥＳ，ＳＴ５２のＹＥＳの場合に分岐する。ＳＴ５４では、ＨＤＣＰ用デバイスキー６３のフラグをオフにしたデータを制御部５内の図示しないメモリに記憶させる。
【００４２】
ＳＴ６では、制御部４は、以上のＳＴ３〜ＳＴ５フラグに基づいて、例えば図２の画面１０１Ｃ、１０１Ｄの画像データを作成し、ＯＳＤ合成部１６に出力する。各フラグのうちオンになっているものについては、背景を赤にする（例えば、６２１、６２２）。
【００４３】
なお、図２（Ｄ）の１０１Ｄを表示するときは、ＳＴ３４’、ＳＴ４４、ＳＴ５４で併せて各種デバイスキーのコード番号を制御部４内のメモリに記憶させる。その後、ＳＴ３に戻り、ＳＴ６で作成した画像を所定時間ごとに更新する。このように所定時間ごとに更新することで、デバイスキー６０のうちのいずれがない限りは、図２に示すように赤で示される。また、デバイスキー６０が記録された場合には、フラグが更新され、背景６１１、６２１、６３１の色が赤から青に変化するので、検査者はデバイスキー６０が記録されたことを明確に確認することができ、デバイスキーが記録されていない機器がそのまま出荷されてしまうような不具合を解消できる。
【００４４】
なお、図２で示した背景のＣＰＰＭ、ＣＰＲＭ、ＨＤＣＰの順序は図２のとおりでなくてもよく、別の順序で並べてもよいし、縦に並べてもよい。ＣＰＰＭ、ＣＰＲＭ、ＨＤＣＰすべて判断しなくても、これらに対応しなければ、表示させる必要はない。また、図２で示したように必ずしも背景を３分割する必要はなく、時分割で交互に表示してもよい。さらに、図２では、赤と青で示したが、必ずしも、赤と青に限らず他の色でもかまわない。
【００４５】
また、図２で示した「赤」は、本発明の「前記デバイスキーがフラッシュメモリに記録されない限り、所定の背景色を表示し続け」る色に相当する。
【００４６】
また、以上では、実施形態としてデータを記録可能なＤＶＤレコーダ１として説明したが、再生専用の装置にも適用でき、データを記録するための構成は、必ずしも必要がない。このような再生専用の装置では、記録可能なＤＶＤ１００に用いるＣＰＲＭ用デバイスキー６２を必ずしもフラッシュメモリ６に記録する必要はない。
【図面の簡単な説明】
【００４７】
【図１】本発明の実施形態であるＤＶＤプレーヤの主要な構成を示すブロック図
【図２】本発明の実施形態であるＤＶＤレコーダのデバイスキー検査モードにおける画面表示例
【図３】本発明の実施形態であるＤＶＤレコーダのデバイスキー検査モードのフロー図
【図４】本発明の実施形態であるＤＶＤレコーダのデバイスキー検査モードのフロー図
【図５】図４のフロー図の詳細図
【符号の説明】
【００４８】
１−ＤＶＤレコーダ、  １２−入力部、  １３−符号化部、
１４−記録／読取部、  １５−デコーダ、  １６−ＯＳＤ合成部、
１７−出力部、  ３−操作部、  ４−制御部、  ５−ＲＯＭ、
５１−検査プログラム、  ５５−デバイスキー検査モード、  ６−フラッシュメモリ、
６０−デバイスキー、  ６１−ＣＰＰＭ用デバイスキー、
６２−ＣＰＲＭ用デバイスキー、  ６３−ＨＤＣＰ用デバイスキー、
１００−ＤＶＤ、  １０１−表示装置、  １０２−スピーカ
【図１】
2008159164.tif 000003
【図２】
2008159164.tif 000004
【図３】
2008159164.tif 000005
【図４】
2008159164.tif 000006
【図５】
2008159164.tif 000007